(57)【要約】【課題】手書き文書の作成を容易にすることが可能な電子機器、方法及びプログラムを提供することである。【解決手段】実施形態によれば、方法は、手書きで記載される１以上のストロークに対応するストロークデータを入力することと、１以上のストロークに基づいて特定される複数のストローク集合を、手書き入力の候補として表示することとを具備し、複数のストローク集合は、１以上のストロークの形状に対応する第１ストローク集合と、１以上のストロークの形状を用いて定まる読み仮名に対応する第２ストローク集合とを含む。【選択図】図１１
2015135546.tif 000002
【特許請求の範囲】
【請求項１】
手書きで記載される１以上のストロークに対応するストロークデータを入力することと、
前記１以上のストロークに基づいて特定される複数のストローク集合を、手書き入力の候補として表示することと
を具備し、
前記複数のストローク集合は、前記１以上のストロークの形状に対応する第１ストローク集合と、前記１以上のストロークの形状を用いて定まる読み仮名に対応する第２ストローク集合とを含む
方法。
【請求項２】
前記１以上のストロークの数に応じて付与される優先度に応じて、複数のストローク集合を表示する請求項１記載の方法。
【請求項３】
前記第１ストローク集合と前記第２ストローク集合とを表示するための優先度が異なる請求項２記載の方法。
【請求項４】
前記第２ストローク集合は、前記第１ストローク集合よりも、表示するための優先度が高い請求項３記載の方法。
【請求項５】
１以上の第１ストローク集合と、１以上の第２ストローク集合を区別可能に表示する請求項１記載の方法。
【請求項６】
手書きで記載される１以上のストロークに対応するストロークデータを入力する入力手段と、
前記１以上のストロークに基づいて特定される複数のストローク集合を、手書き入力の候補として表示する表示処理手段と、
を具備し、
前記複数のストローク集合は、前記１以上のストロークの形状に対応する第１ストローク集合と、前記１以上のストロークの形状を用いて定まる読み仮名に対応する第２ストローク集合とを含む
電子機器。
【請求項７】
前記表示処理手段は、前記１以上のストロークの数に応じて付与される優先度に応じて、複数のストローク集合を表示する請求項６記載の電子機器。
【請求項８】
前記第１ストローク集合と前記第２ストローク集合とを表示するための優先度が異なる請求項７記載の電子機器。
【請求項９】
前記第２ストローク集合は、前記第１ストローク集合よりも、表示するための優先度が高い請求項８記載の電子機器。
【請求項１０】
前記表示処理手段は、１以上の第１ストローク集合と、１以上の第２ストローク集合を区別可能に表示する請求項６記載の電子機器。
【請求項１１】
コンピュータにより実行されるプログラムであって、
前記コンピュータに、
手書きで記載される１以上のストロークに対応するストロークデータを入力することと、
前記１以上のストロークに基づいて特定される複数のストローク集合を、手書き入力の候補として表示することと
を実行させ、
前記複数のストローク集合は、前記１以上のストロークの形状に対応する第１ストローク集合と、前記１以上のストロークの形状を用いて定まる読み仮名に対応する第２ストローク集合とを含む
プログラム。
【請求項１２】
前記１以上のストロークの数に応じて付与される優先度に応じて、複数のストローク集合を表示する請求項１１記載のプログラム。
【請求項１３】
前記第１ストローク集合と前記第２ストローク集合とを表示するための優先度が異なる請求項１２記載のプログラム。
【請求項１４】
前記第２ストローク集合は、前記第１ストローク集合よりも、表示するための優先度が高い請求項１３記載のプログラム。
【請求項１５】
１以上の第１ストローク集合と、１以上の第２ストローク集合を区別可能に表示する請求項１１記載のプログラム。
【発明の詳細な説明】
【技術分野】
【０００１】
本発明の実施形態は、文字列を手書き入力する技術に関する。
【背景技術】
【０００２】
近年、タブレットコンピュータ、ノートブック型パーソナルコンピュータ、スマートフォン、ＰＤＡといった文書を手書きで入力可能な種々の電子機器が開発されている。
【先行技術文献】
【特許文献】
【０００３】
【特許文献１】特開２００８−１８６０５６号公報
【発明の概要】
【発明が解決しようとする課題】
【０００４】
本発明の一形態の目的は、手書き文書の作成を容易にすることが可能な電子機器、方法及びプログラムを提供することにある。
【課題を解決するための手段】
【０００５】
実施形態によれば、方法は、手書きで記載される１以上のストロークに対応するストロークデータを入力することと、前記１以上のストロークに基づいて特定される複数のストローク集合を、手書き入力の候補として表示することとを具備し、前記複数のストローク集合は、前記１以上のストロークの形状に対応する第１ストローク集合と、前記１以上のストロークの形状を用いて定まる読み仮名に対応する第２ストローク集合とを含む。
【図面の簡単な説明】
【０００６】
【図１】実施形態に係る電子機器の外観の一例を示す斜視図。
【図２】電子機器と他の装置との連係動作の一例を示すブロック図。
【図３】タッチスクリーンディスプレイに手書きされる手書き文書の一例を示す図。
【図４】ストロークデータの集合である時系列情報の一例を示す図。
【図５】電子機器のシステム構成の一例を示すブロック図。
【図６】電子機器によって表示されるホーム画面を示す図。
【図７】電子機器によって表示されるノートプレビュー画面を示す図。
【図８】電子機器によって表示される設定画面を示す図。
【図９】電子機器によって表示されるページ編集画面を示す図。
【図１０】電子機器によって表示される検索ダイアログを示す図。
【図１１】電子機器によって実行される手書きノートアプリケーションプログラムの機能構成を示すブロック図。
【図１２】サジェスト特徴テーブルのデータ構造の一例を示す図。
【図１３】サジェストキーワードテーブルのデータ構造の一例を示す図。
【図１４】読み仮名テーブルのデータ構造の一例を示す図。
【図１５】特徴量登録処理の一例を示すフローチャート。
【図１６】積算文字認識処理について具体的に説明するための図。
【図１７】候補表示処理の一例を示すフローチャート。
【図１８】各キーワードの優先度について具体的に説明するための図。
【図１９】各キーワードの優先度について具体的に説明するための図。
【図２０】手書き入力候補が表示される候補表示領域の一例を示す図。
【図２１】ユーザによって選択された手書き入力候補が表示された手書き入力領域の一例を示す図。
【発明を実施するための形態】
【０００７】
以下、実施の形態について図面を参照して説明する。
【０００８】
図１は、一実施形態に係る電子機器の外観の一例を示す斜視図である。この電子機器は、例えば、ペンまたは指によって手書き入力可能なペン・ベースの携帯型電子機器である。この電子機器は、タブレットコンピュータ、ノートブック型パーソナルコンピュータ、スマートフォン、ＰＤＡ等として実現され得る。以下では、この電子機器がタブレットコンピュータ１０として実現されている場合を説明する。タブレットコンピュータ１０は、タブレットまたはスレートコンピュータとも称される携帯型電子機器であり、本体１１は、薄い箱型の筐体を有している。
【０００９】
タッチスクリーンディスプレイ１７は、本体１１の上面に重ね合わせるように取り付けられている。タッチスクリーンディスプレイ１７には、フラットパネルディスプレイと、フラットパネルディスプレイの画面上のペンまたは指の接触位置を検出するように構成されたセンサとが組み込まれている。フラットパネルディスプレイは、例えば、液晶表示装置（ＬＣＤ）であってもよい。センサとしては、例えば、静電容量方式のタッチパネル、電磁誘導方式のデジタイザ等を使用することができる。以下では、デジタイザ及びタッチパネルの２種類のセンサの双方がタッチスクリーンディスプレイ１７に組み込まれている場合を説明する。このため、タッチスクリーンディスプレイ１７は、指を使用した画面に対するタッチ操作のみならず、ペン１００を使用した画面に対するタッチ操作も検出することができる。
【００１０】
ペン１００は、例えばデジタイザペン（電磁誘導ペン）であってもよい。ユーザは、ペン１００を使用してタッチスクリーンディスプレイ１７上で手書き入力操作を行うことができる（ペン入力モード）。ペン入力モードにおいては、画面上のペン１００の動きの軌跡、つまり、手書き入力操作によって手書きされるストロークが求められ、これによって手書きにより入力された複数のストロークが画面上に表示される。ペン１００が画面に接触されている間のペン１００の動きの軌跡が１つのストロークに相当する。複数のストロークが文字、記号等を構成する。手書きされた文字、手書きされた図形、手書きされた表等に対応する多数のストロークの集合が手書き文書を構成する。
【００１１】
本実施形態では、この手書き文書は、イメージデータではなく、各ストロークの軌跡の座標列とストローク間の順序関係とを示す時系列情報（手書き文書データ）として記憶媒体に保存される。ただし、この手書き文書は、イメージデータに基づいて生成されても良い。時系列情報の詳細は図４を参照して後述するが、時系列情報は、複数のストロークが手書きされた順を示し、かつ複数のストロークにそれぞれ対応する複数のストロークデータを含む。換言すれば、時系列情報は、複数のストロークにそれぞれ対応する時系列のストロークデータの集合を意味する。各ストロークデータは、ある１つのストロークに対応し、このストロークの軌跡上の点それぞれに対応する座標データ系列（時系列座標）を含む。これらストロークデータの並びの順序は、ストロークそれぞれが手書きされた順序に相当する。
【００１２】
タブレットコンピュータ１０は、記憶媒体から既存の任意の時系列情報を読み出し、この時系列情報に対応する手書き文書、つまり、この時系列情報によって示される複数のストロークを画面上に表示することができる。時系列情報によって示される複数のストロークも、手書きによって入力される複数のストロークである。
【００１３】
更に、本実施形態に係るタブレットコンピュータ１０は、ペン１００を使用せずに、指で手書き入力操作を行うためのタッチ入力モードも有している。タッチ入力モードが有効な場合、ユーザは、指を使用してタッチスクリーンディスプレイ１７上で手書き入力操作を行うことができる。タッチ入力モードにおいては、画面上の指の動きの軌跡、つまり、手書き入力操作によって手書きされるストロークが求められ、これによって手書きにより入力された複数のストロークが画面上に表示される。
【００１４】
タブレットコンピュータ１０は、編集機能を有している。この編集機能は、「消しゴム」ツール、範囲選択ツール、及び他の各種ツール等を用いたユーザによる編集操作に応じて、範囲選択ツールによって選択される表示中の手書き文書内の任意の手書き部分（手書き文字、手書きマーク、手書き図形及び手書き表等）を削除または移動することができる。また、範囲選択ツールによって選択される手書き文書内の任意の手書き部分を、手書き文書を検索するための検索キーとして指定することもできる。また、範囲選択ツールによって選択される手書き文書内の任意の手書き部分に対して、手書き文字認識／手書き図形認識／手書き表認識のような認識処理を実行することもできる。
【００１５】
本実施形態では、手書き文書は、１つまたは複数のページとして管理され得る。この場合、時系列情報（手書き文書データ）を１つの画面に収まる面積単位で区切ることによって、１つの画面に収まる時系列情報のまとまりを１つのページとして記録してもよい。あるいは、ページのサイズを可変できるようにしてもよい。この場合、ページのサイズは１つの画面のサイズよりも大きい面積に広げることができるので、画面のサイズよりも大きな面積の手書き文書を１つのページとして扱うことができる。１つのページ全体をディスプレイに同時に表示できない場合は、そのページを縮小して表示するようにしてもよいし、縦横スクロールによってページ内の表示対象部分を移動するようにしてもよい。
【００１６】
図２は、タブレットコンピュータ１０と外部装置との連係動作の一例を示している。タブレットコンピュータ１０は、無線ＬＡＮ等の無線通信デバイスを備えており、パーソナルコンピュータ１との無線通信を実行することができる。更に、タブレットコンピュータ１０は、無線通信デバイスを使用してインターネット３上のサーバ２との通信を実行することもできる。サーバ２は、オンラインストレージサービス、他の各種クラウドコンピューティングサービスを実行するサーバであってもよい。
【００１７】
パーソナルコンピュータ１は、ハードディスクドライブ（ＨＤＤ：Hard Disk Drive）のようなストレージデバイスを備えている。タブレットコンピュータ１０は、時系列情報（手書き文書データ）をパーソナルコンピュータ１に送信して、パーソナルコンピュータ１のＨＤＤに記録することができる（アップロード）。タブレットコンピュータ１０とパーソナルコンピュータ１との間のセキュアな通信を確保するために、通信開始時には、パーソナルコンピュータ１がタブレットコンピュータ１０を認証するようにしてもよい。この場合、タブレットコンピュータ１０の画面上にユーザに対してＩＤまたはパスワードの入力を促すダイアログを表示してもよいし、タブレットコンピュータ１０のＩＤ等を自動的にタブレットコンピュータ１０からパーソナルコンピュータ１に送信してもよい。
【００１８】
これにより、タブレットコンピュータ１０内のストレージの容量が少ない場合でも、タブレットコンピュータ１０が多数の時系列情報あるいは大容量の時系列情報を扱うことが可能となる。
【００１９】
更に、タブレットコンピュータ１０は、パーソナルコンピュータ１のＨＤＤに記録されている任意の１以上の時系列情報を読み出し（ダウンロード）、その読み出した時系列情報によって示されるストロークをタブレットコンピュータ１０のディスプレイ１７の画面に表示することができる。この場合、複数の時系列情報それぞれのページを縮小することによって得られるサムネイルの一覧をディスプレイ１７の画面上に表示してもよいし、これらサムネイルから選ばれた１ページをディスプレイ１７の画面上に通常サイズで表示してもよい。
【００２０】
更に、タブレットコンピュータ１０が通信する先はパーソナルコンピュータ１ではなく、上述したように、ストレージサービス等を提供するクラウド上のサーバ２であってもよい。タブレットコンピュータ１０は、時系列情報（手書き文書データ）をインターネットを介してサーバ２に送信して、サーバ２のストレージデバイス２Ａに記録することができる（アップロード）。更に、タブレットコンピュータ１０は、サーバ２のストレージデバイス２Ａに記録されている任意の時系列情報を読み出して（ダウンロード）、その時系列情報によって示されるストロークそれぞれの軌跡をタブレットコンピュータ１０のディスプレイ１７の画面に表示することができる。
【００２１】
このように、本実施形態では、時系列情報が保存される記憶媒体は、タブレットコンピュータ１０内のストレージデバイス、パーソナルコンピュータ１内のストレージデバイス、サーバ２のストレージデバイスのいずれであってもよい。
【００２２】
次に、図３及び図４を参照して、ユーザによって手書きされたストローク（文字、図形及び表等）と時系列情報との関係について説明する。図３は、ペン１００等を使用してタッチスクリーンディスプレイ１７上に手書きされる手書き文書（手書き文字列）の一例を示している。
【００２３】
手書き文書では、一旦手書きによって入力される文字や図形などの上に、更に別の文字や図形などが手書きによって入力されるというケースが多い。図３においては、「Ａ」、「Ｂ」及び「Ｃ」の手書き文字が、この順番で手書きによって入力され、この後に、手書きの矢印が、手書き文字「Ａ」のすぐ近くに手書きによって入力されている。
【００２４】
手書き文字「Ａ」は、ペン１００等を使用して手書きされた２つのストローク（「∧」形状の軌跡、「−」形状の軌跡）によって、つまり、２つの軌跡によって表現される。最初に手書きされる「∧」形状のペン１００の軌跡は例えば等時間間隔でリアルタイムにサンプリングされ、これによって「∧」形状のストロークの時系列座標ＳＤ１１、ＳＤ１２、…、ＳＤ１ｎが得られる。同様に、次に手書きされる「−」形状のペン１００の軌跡も等時間間隔でリアルタイムにサンプリングされ、これによって「−」形状のストロークの時系列座標ＳＤ２１、ＳＤ２２、…、ＳＤ２ｎが得られる。
【００２５】
手書き文字「Ｂ」は、ペン１００等を使用して手書きされた２つのストローク、つまり、２つの軌跡によって表現される。手書き文字「Ｃ」は、ペン１００等を使用して手書きされた１つのストローク、つまり、１つの軌跡によって表現される。手書きの「矢印」は、ペン１００等を使用して手書きされた２つのストローク、つまり、２つの軌跡によって表現される。
【００２６】
図４は、図３の手書き文書に対応する時系列情報２００を示している。時系列情報は、複数のストロークデータＳＤ１、ＳＤ２、…、ＳＤ７を含む。時系列情報２００内においては、これらストロークデータＳＤ１、ＳＤ２、…、ＳＤ７は、これらのストロークが手書きされた順に時系列に並べられている。
【００２７】
時系列情報２００において、先頭の２つのストロークデータＳＤ１、ＳＤ２は、手書き文字「Ａ」の２つのストロークをそれぞれ示している。３番目と４番目のストロークデータＳＤ３、ＳＤ４は、手書き文字「Ｂ」を構成する２つのストロークをそれぞれ示している。５番目のストロークデータＳＤ５は、手書き文字「Ｃ」を構成する１つのストロークを示している。６番目と７番目のストロークデータＳＤ６、ＳＤ７は、手書き「矢印」を構成する２つのストロークをそれぞれ示している。
【００２８】
各ストロークデータは、１つのストロークに対応する座標データ系列（時系列座標）、つまり、１つのストローク軌跡上の複数のサンプリング点それぞれに対応する複数の座標を含む。各ストロークデータにおいては、複数のサンプリング点の座標はストロークが書かれた順（サンプリングされた順）に時系列に並べられている。例えば、手書き文字「Ａ」に関しては、ストロークデータＳＤ１は、手書き文字「Ａ」の「∧」形状のストロークの軌跡上の点それぞれに対応する座標データ系列（時系列座標）、つまり、ｎ個の座標データＳＤ１１、ＳＤ１２、…、ＳＤ１ｎを含む。ストロークデータＳＤ２は、手書き文字「Ａ」の「−」形状のストロークの軌跡上の点それぞれに対応する座標データ系列、つまり、ｎ個の座標データＳＤ２１、ＳＤ２２、…、ＳＤ２ｎを含む。なお、座標データの数はストロークデータ毎に異なっていてもよい。ストロークを等時間間隔でサンプリングすると、ストロークの長さが異なっているので、サンプリング点の数も異なる。
【００２９】
各座標データは、対応する軌跡内のある１点のＸ座標及びＹ座標を示す。例えば、座標データＳＤ１１は、「∧」形状のストロークの始点のＸ座標（Ｘ１１）及びＹ座標（Ｙ１１）を示す。ＳＤ１ｎは、「∧」形状のストロークの終点のＸ座標（Ｘ１ｎ）及びＹ座標（Ｙ１ｎ）を示す。
【００３０】
各座標データは、その座標に対応する点が手書きされた時点（サンプリングタイミング）に対応するタイムスタンプ情報Ｔを含んでいてもよい。手書きされた時点は、絶対時間（例えば、年月日時分秒）またはある時点を基準とした相対時間のいずれであってもよい。例えば、各ストロークデータに、ストロークが書き始められた絶対時間（例えば、年月日時分秒）をタイムスタンプ情報として付加し、更に、ストロークデータ内の各座標データに、絶対時間との差分を示す相対時間をタイムスタンプ情報Ｔとして付加してもよい。
【００３１】
このように、各座標データにタイムスタンプ情報Ｔが追加された時系列情報を使用することにより、ストローク間の時間的関係をより精度よく表すことができる。図４には示していないが、各座標データには、筆圧を示す情報（Ｚ）を追加してもよい。
【００３２】
図４で説明したような構造を有する時系列情報２００は、個々のストロークの筆跡だけでなく、ストローク間の時間的関係も表すことができる。したがって、この時系列情報２００を使用することにより、図３に示すようにたとえ手書き「矢印」の先端部が手書き文字「Ａ」上に重ねてまたは手書き文字「Ａ」に近接して書かれたとしても、手書き文字「Ａ」と手書き「矢印」の先端部とを異なる文字または図形として扱うことが可能となる。
【００３３】
更に、本実施形態では、上述したように、手書き文書データは、イメージまたは文字認識結果ではなく、時系列のストロークデータの集合から構成される時系列情報２００として記憶されるので、手書き文字の言語に依存せずに手書き文字を扱うことができる。したがって、本実施形態における時系列情報２００の構造は、使用言語の異なる世界中の様々な国で共通に使用できる。
【００３４】
図５は、タブレットコンピュータ１０のシステム構成を示す図である。
【００３５】
タブレットコンピュータ１０は、ＣＰＵ１０１、システムコントローラ１０２、主メモリ１０３、グラフィクスコントローラ１０４、ＢＩＯＳ−ＲＯＭ１０５、不揮発性メモリ１０６、無線通信デバイス１０７及びエンベデッドコントローラ（ＥＣ）１０８等を備える。
【００３６】
ＣＰＵ１０１は、タブレットコンピュータ１０内の各種モジュールの動作を制御するプロセッサである。ＣＰＵ１０１は、ストレージデバイスである不揮発性メモリ１０６から主メモリ１０３にロードされる各種ソフトウェアを実行する。これらソフトウェアには、オペレーティングシステム（ＯＳ）２０１及び各種アプリケーションプログラムが含まれている。各種アプリケーションプログラムには、手書きノートアプリケーションプログラム２０２が含まれている。以下では、手書き文書データを手書きノートとも称する。この手書きノートアプリケーションプログラム２０２は、上述の手書き文書データを作成及び表示する機能、手書き文書データを編集する機能、所望の手書き部分を含む手書き文書データや、ある手書き文書データ内の所望の手書き部分を検索するための手書き文書検索機能を有している。
【００３７】
ＣＰＵ１０１は、ＢＩＯＳ−ＲＯＭ１０５に格納された基本入出力システム（ＢＩＯＳ）も実行する。ＢＩＯＳは、ハードウェア制御のためのプログラムである。
【００３８】
システムコントローラ１０２は、ＣＰＵ１０１のローカルバスと各種コンポーネント・モジュールとの間を接続するデバイスである。システムコントローラ１０２には、主メモリ１０３をアクセス制御するメモリコントローラも内蔵されている。システムコントローラ１０２は、ＰＣＩ  ＥＸＰＲＥＳＳ規格のシリアルバス等を介してグラフィクスコントローラ１０４との通信を実行する機能も有している。
【００３９】
グラフィクスコントローラ１０４は、タブレットコンピュータ１０のディスプレイモニタとして使用されるＬＣＤ１７Ａを制御する表示コントローラである。グラフィクスコントローラ１０４によって生成される表示信号はＬＣＤ１７Ａに送られる。ＬＣＤ１７Ａは、表示信号に基づいて画面イメージを表示する。ＬＣＤ１７Ａ、タッチパネル１７Ｂ及びデジタイザ１７Ｃは互いに重ね合わされている。タッチパネル１７Ｂは、ＬＣＤ１７Ａの画面上で入力を行うための静電容量式のポインティングデバイスである。指が接触される画面上の接触位置及び当該接触位置の動き等は、タッチパネル１７Ｂによって検出される。デジタイザ１７Ｃは、ＬＣＤ１７Ａの画面上で入力を行うための電磁誘導式のポインティングデバイスである。ペン（デジタイザペン）１００が接触される画面上の接触位置及び当該接触位置の動き等は、デジタイザ１７Ｃによって検出される。
【００４０】
無線通信デバイス１０７は、無線ＬＡＮまたは３Ｇ移動通信等の無線通信を実行するように構成されたデバイスである。ＥＣ１０８は、電力管理のためのエンベデッドコントローラを含むワンチップマイクロコンピュータである。ＥＣ１０８は、ユーザによるパワーボタンの操作に応じて本タブレットコンピュータ１０を電源オンまたは電源オフする機能を有している。
【００４１】
次に、手書きノートアプリケーションプログラム２０２によってユーザに提示される幾つかの代表的な画面の例を説明する。
【００４２】
図６は、手書きノートアプリケーションプログラム２０２のホーム画面の一例を示す。ホーム画面は複数の手書き文書データを扱うための基本画面であり、ノートの管理や、アプリケーション全体の設定を行うことができる。
【００４３】
ホーム画面は、デスクトップ画面領域７０と引き出し画面領域７１とを含む。デスクトップ画面領域７０は、作業中の複数の手書きノートに対応する複数のノートアイコン８０１〜８０５を表示するテンポラリ領域である。ノートアイコン８０１〜８０５の各々は、対応する手書きノート内のあるページのサムネイルを表示する。デスクトップ画面領域７０は、更に、ペンアイコン７７１、カレンダーアイコン７７２、スクラップノート（ギャラリー）アイコン７７３及びタグ（ラベル）アイコン７７４を表示する。
【００４４】
ペンアイコン７７１は、表示画面をホーム画面からページ編集画面に切り替えるためのグラフィカルユーザインタフェース（ＧＵＩ）である。カレンダーアイコン７７２は、現在の日付を示すアイコンである。スクラップノートアイコン７７３は、他のアプリケーションプログラムからまたは外部ファイルから取り込んだデータ（スクラップデータまたはギャラリーデータ）を閲覧するためのＧＵＩである。タグアイコン７７４は、任意の手書きノート内の任意のページにラベル（タグ）を貼り付けるためのＧＵＩである。
【００４５】
引き出し画面領域７１は、作成済みの全ての手書きノートを格納するためのストレージ領域を閲覧するための表示領域である。引き出し画面領域７１は、全ての手書きノート内の幾つかの手書きノートに対応するノートアイコン８０Ａ、８０Ｂ及び８０Ｃを表示する。ノートアイコン８０Ａ、８０Ｂ及び８０Ｃの各々は、対応する手書きノート内のあるページのサムネイルを表示する。手書きノートアプリケーションプログラム２０２は、ペン１００または指を使用してユーザによって行われる引き出し画面領域７１上のあるジェスチャ（例えば、スワイプジェスチャ等）を検出することができる。このジェスチャ（例えば、スワイプジェスチャ等）の検出に応答して、手書きノートアプリケーションプログラム２０２は、引き出し画面領域７１上の画面イメージを左方向または右方向にスクロールする。これにより、引き出し画面領域７１に任意の手書きノートそれぞれに対応するノートアイコンを表示することができる。
【００４６】
手書きノートアプリケーションプログラム２０２は、ペン１００または指を使用してユーザによって行われる引き出し画面領域７１のノートアイコン上の他のジェスチャ（例えば、タップジェスチャ等）を検出することができる。引き出し画面領域７１上のあるノートアイコン上のジェスチャ（例えば、タップジェスチャ等）の検出に応答して、手書きノートアプリケーションプログラム２０２は、このノートアイコンをデスクトップ画面領域７０の中央部に移動する。そして、手書きノートアプリケーションプログラム２０２は、このノートアイコンに対応する手書きノートを選択し、デスクトップ画面の代わりに図７に示すノートプレビュー画面を表示する。図７のノートプレビュー画面は、選択された手書きノート内の任意のページを閲覧可能な画面である。
【００４７】
更に、手書きノートアプリケーションプログラム２０２は、ペン１００または指を使用してユーザによって行われるデスクトップ画面領域７０上のジェスチャ（例えば、タップジェスチャ等）も検出することができる。デスクトップ画面領域７０の中央部に位置するノートアイコン上のジェスチャ（例えば、タップジェスチャ等）の検出に応答して、手書きノートアプリケーションプログラム２０２は、中央部に位置するノートアイコンに対応する手書きノートを選択し、そして、デスクトップ画面の代わりに、図７に示すノートプレビュー画面を表示する。
【００４８】
更に、ホーム画面は、メニューを表示することができる。このメニューは、画面の下部、例えば引き出し画面領域７１に表示されるノート一覧ボタン８１Ａ、ノート作成ボタン８１Ｂ、ノート削除ボタン８１Ｃ、検索ボタン８１Ｄ及び設定ボタン８１Ｅを備える。ノート一覧ボタン８１Ａは、手書きノートの一覧を表示するためのボタンである。ノート作成ボタン８１Ｂは、新しい手書きノートを作成（追加）するためのボタンである。ノート削除ボタン８１Ｃは、手書きノートを削除するためのボタンである。検索ボタン８１Ｄは、検索画面（検索ダイアログ）を開くためのボタンである。設定ボタン８１Ｅは、アプリケーションの設定画面を開くためのボタンである。
【００４９】
なお、図示しないが、引き出し画面領域７１の下にも、戻るボタン、ホームボタン、リーセントアプリケーションボタンが表示される。
【００５０】
図８は、設定ボタン８１Ｅがペン１００または指でタップされた際に開かれる設定画面の一例を示す。
【００５１】
この設定画面は、様々な設定項目を表示する。これら設定項目には、「バックアップと復元」、「入力モード（ペン、またはタッチ入力モード）」、「ライセンス情報」及び「ヘルプ」等が含まれる。
【００５２】
ホーム画面においてノート作成ボタン８１Ｂがペン１００または指でタップされるとノート作成画面が表示される。ここで、タイトル欄にノートの名前を手書き入力する。なお、ノートの表紙と用紙とを選択することができる。作成ボタンを押すと、新規なノートが作成され、当該作成されたノートは引き出し画面領域７１に置かれる。
【００５３】
図７は、上述のノートプレビュー画面の一例を示す。
【００５４】
ノートプレビュー画面は、選択された手書きノート内の任意のページを閲覧可能な画面である。ここでは、ホーム画面のデスクトップ画面領域７０のノートアイコン８０１に対応する手書きノートが選択された場合を説明する。この場合、手書きノートアプリケーションプログラム２０２は、この手書きノートに含まれる複数のページ９０１、９０２、９０３、９０４及び９０５を、これらページ９０１、９０２、９０３、９０４及び９０５それぞれの少なくとも一部分が視認可能で、かつ、これらページ９０１、９０２、９０３、９０４及び９０５が重なった形態で表示する。
【００５５】
ノートプレビュー画面は、更に、上述のペンアイコン７１１、カレンダーアイコン７７２及びスクラップノートアイコン７７３を表示する。
【００５６】
ノートプレビュー画面は、更に、メニューを画面下部に表示することができる。このメニューは、ホームボタン８２Ａ、ページ一覧ボタン８２Ｂ、ページ追加ボタン８２Ｃ、ページ編集ボタン８２Ｄ、ページ削除ボタン８２Ｅ、ラベルボタン８２Ｆ、検索ボタン８２Ｇ及びプロパティ表示ボタン８２Ｈを備える。ホームボタン８２Ａは、ノートのプレビューを閉じてホーム画面を表示するためのボタンである。ページ一覧ボタン８２Ｂは、現在選択されている手書きノート内のページの一覧を表示するためのボタンである。ページ追加ボタン８２Ｃは、新しいページを作成（追加）するためのボタンである。編集ボタン８２Ｄは、ページ編集画面を表示するためのボタンである。ページ削除ボタン８２Ｅは、ページを削除するためのボタンである。ラベルボタン８２Ｆは、使用可能なラベルの種類の一覧を表示するためのボタンである。検索ボタン８２Ｇは、検索画面を表示するためのボタンである。プロパティ表示ボタン８２Ｈは、このノートのプロパティを表示するためのボタンである。
【００５７】
手書きノートアプリケーションプログラム２０２は、ユーザによって行われるノートプレビュー画面上の様々なジェスチャを検出することができる。例えば、あるジェスチャの検出に応答して、手書きノートアプリケーションプログラム２０２は、一番上に表示されるべきページを任意のページに変更する（ページ送り、ページ戻し）。また、一番上のページ上で行われるあるジェスチャ（例えば、タップジェスチャ）の検出に応答して、またはペンアイコン７７１上で行われるジェスチャ（例えば、タップジェスチャ）の検出に応答して、あるいは編集ボタン８２Ｄ上で行われるあるジェスチャ（例えば、タップジェスチャ）の検出に応答して、手書きノートアプリケーションプログラム２０２は、一番上のページを選択し、そしてノートプレビュー画面の代わりに、図９に示すページ編集画面を表示する。
【００５８】
図９のページ編集画面は、手書きノート内のページ（手書きページ）の新規作成、及び既存のページの閲覧及び編集が可能な画面である。図７のノートプレビュー画面上のページ９０１が選択された場合には、図９に示すように、ページ編集画面は、ページ９０１の内容を表示する。
【００５９】
このページ編集画面において、破線で囲まれた矩形の領域５００は、手書き可能な手書き入力領域である。手書き入力領域５００においては、デジタイザ１７Ｃからの入力イベントは手書きストロークの表示（描画）のために使用され、タップ等のジェスチャを示すイベントとしては使用されない。一方、ページ編集画面における手書き入力領域５００以外の領域においては、デジタイザ１７Ｃからの入力イベントはタップ等のジェスチャを示すイベントとしても使用され得る。
【００６０】
タッチパネル１７Ｂからの入力イベントは、手書きストロークの表示（描画）には使用されず、タップ及びスワイプ等のジェスチャを示すイベントとして使用される。
【００６１】
ページ編集画面は、更に、ユーザによって予め登録された３種類のペン５０１〜５０３と、範囲選択ペン５０４、消しゴムペン５０５とを含むクイックセレクトメニューを手書き入力領域５００外の画面上部に表示する。ここでは、黒ペン５０１、赤ペン５０２及びマーカー５０３がユーザによって予め登録されている場合が説明されている。ユーザは、ペン１００または指でクイックセレクトメニュー内のあるペン（ボタン）をタップすることにより、使用するペンの種類を切り替えることができる。例えば、黒ペン５０１がユーザによるペン１００または指を使用したタップジェスチャによって選択された状態で、ペン１００を用いた手書き入力操作がページ編集画面上で行われると、手書きノートアプリケーションプログラム２０２は、ペン１００の動きに合わせて黒色のストローク（軌跡）をページ編集画面上に表示する。
【００６２】
クイックセレクトメニュー内の上述の３種類のペンは、ペン１００のサイドボタン（図示せず）の操作によっても切り替えることができる。クイックセレクトメニュー内の上述の３種類のペンの各々には、よく使うペンの色やペンの太さの組み合わせを設定することができる。
【００６３】
ページ編集画面は、更に、メニューボタン５１１、ページ戻し（ノートプレビュー画面に戻る）ボタン５１２及び新規ページ追加ボタン５１３を、手書き入力領域５００外の画面下部に表示する。メニューボタン５１１は、メニューを表示するためのボタンである。
【００６４】
このメニューは、例えば、このページをゴミ箱に入れる、コピーやカットしたページの一部を貼り付ける、検索画面を開く、エクスポートサブメニューを表示する、インポートサブメニューを表示する、ページをテキストに変換してメールを送る、ペンケースを表示する等のボタンを表示してもよい。エクスポートサブメニューは、例えば、ページ編集画面上に表示されている手書きページを認識して電子文書ファイル、プレゼンテーションファイル、画像ファイル等に変換する機能、あるいはページを画像ファイルに変換して他のアプリケーションと共有する機能をユーザに選択させる。インポートサブメニューは、例えば、メモギャラリーからメモをインポートする機能、あるいはギャラリーから画像をインポートする機能をユーザに選択させる。ペンケースは、クイックセレクトメニュー内の３種類のペンの各々の色（描画される線の色）及び太さ（描画される線の太さ）を変更可能なペン設定画面を呼び出すためのボタンである。
【００６５】
図１０は、検索画面（検索ダイアログ）の例を示す。図１０では、図７に示すノートプレビュー画面上で検索ボタン８２Ｇが選択され、当該ノートプレビュー画面上に検索画面（検索ダイアログ）が開かれた場合が説明されている。
【００６６】
検索画面は、検索キー入力領域５３０、筆跡検索ボタン５３１、テキスト検索ボタン５３２、デリートボタン５３３及び検索実行ボタン５３４を表示する。筆跡検索ボタン５３１は、筆跡検索を選択するためのボタンである。テキスト検索ボタン５３２は、テキスト検索を選択するためのボタンである。テキスト検索ボタン５３２は、テキスト検索を選択するためのボタンである。検索実行ボタン５３４は、検索処理の実行を要求するためのボタンである。
【００６７】
筆跡検索においては、検索キー入力領域５３０は、例えば検索キーとすべき文字列を手書きするための入力領域として使用される。なお、ユーザは、手書き文字列に限らず、手書き図形及び手書き表等を検索キー入力領域５３０にペン１００で手書きすることができる。検索キー入力領域５３０において例えば手書き文字列が検索キーとして入力された状態で検索実行ボタン４３４がユーザによって選択されると、当該手書き文字列を構成するストローク集合（クエリーストローク集合）を用いて、このクエリーストローク集合に対応するストローク集合を含む手書き文書（ノート）を検索するための筆跡検索が実行される。筆跡検索では、ストローク間のマッチングによって、クエリーストローク集合に類似するストローク集合が検索される。クエリーストローク集合とある別のストローク集合との間の類似度の算出においては、ＤＰ（Dynamic Programming）マッチングを使用してもよい。
【００６８】
テキスト検索においては、例えばソフトウェアキーボードが画面上に表示される。ユーザは、ソフトウェアキーボードを操作することによって任意のテキスト（文字列）を検索キーとして検索キー入力領域５３０に入力することができる。検索キー入力領域５３０にテキストが検索キーとして入力された状態で検索実行ボタン５３４がユーザによって選択されると、このテキスト（クエリーテキスト）を表すストローク集合を含む手書きノートを検索するためのテキスト検索が実行される。
【００６９】
筆跡検索／テキスト検索は、全ての手書き文書を対象に実行することもできるし、選択された手書き文書のみを対象に実行することもできる。筆跡検索／テキスト検索が実行されると、検索結果画面が表示される。検索結果画面においては、クエリーストローク集合（またはクエリーテキスト）に対応するストローク集合を含む手書き文書（ページ）の一覧が表示される。なお、ヒットワード（クエリーストローク集合またはクエリーテキストに対応するストローク集合）は、強調表示される。
【００７０】
次に、図１１を参照して、手書きノートアプリケーションプログラム２０２の機能構成について説明する。
【００７１】
手書きノートアプリケーションプログラム２０２は、手書き文書データを扱うことが可能なＷＹＳＩＷＹＧアプリケーションである。この手書きノートアプリケーションプログラム２０２は、例えば、表示処理部３０１、時系列情報生成部３０２、編集処理部３０３、ページ保存処理部３０４、ページ取得処理部３０５、特徴量登録処理部３０６及び作業メモリ４０１等を備える。表示処理部３０１は、手書きデータ入力部３０１Ａ、筆跡描画部３０１Ｂ及び候補表示処理部３０１Ｃを含む。
【００７２】
上述したタッチパネル１７Ｂは、「タッチ（接触）」、「移動（スライド）」及び「リリース」等のイベントの発生を検出するように構成されている。「タッチ（接触）」は、画面上のオブジェクト（指）が接触したことを示すイベントである。「移動（スライド）」は、画面上にオブジェクト（指）が接触されている間に接触位置が移動されたことを示すイベントである。「リリース」は、画面からオブジェクト（指）が離されたことを示すイベントである。
【００７３】
上述したデジタイザ１７Ｃも、「タッチ（接触）」、「移動（スライド）」及び「リリース」等のイベントの発生を検出するように構成されている。「タッチ（接触）」は、画面上にオブジェクト（ペン１００）が接触したことを示すイベントである。「移動（スライド）」は、画面上にオブジェクト（ペン１００）が接触されている間に接触位置が移動されたことを示すイベントである。「リリース」は、画面からオブジェクト（ペン１００）が離されたことを示すイベントである。
【００７４】
手書きノートアプリケーションプログラム２０２は、手書きページデータの作成、閲覧及び編集を行うためのページ編集画面をタッチスクリーンディスプレイ１７上に表示する。
【００７５】
表示処理部３０１及び時系列情報生成部３０２は、デジタイザ１７Ｃによって発生される「タッチ（接触）」、「移動（スライド）」または「リリース」のイベントを受信し、これによって手書き入力操作を検出する。「タッチ（接触）」イベントには、接触位置の座標が含まれている。「移動（スライド）」イベントには、移動先の接触位置の座標が含まれている。したがって、表示処理部３０１及び時系列情報生成部３０２は、デジタイザ１７Ｃから接触位置の動きの軌跡に対応する座標列を受信することができる。
【００７６】
表示処理部３０１は、デジタイザ１７Ｃを用いて検出される画面上のオブジェクト（ペン１００）の動きに応じて手書きストロークを画面上に表示する。この表示処理部３０１により、画面にペン１００が接触している間のペン１００の軌跡、つまり、各ストロークの軌跡がページ編集画面上に表示される。
【００７７】
時系列情報生成部３０２は、デジタイザ１７Ｃから出力される上述の座標列を受信し、この座標列に基づいて、図４で詳述したような構造を有する時系列情報（座標データ系列）を含む手書きデータを生成する。時系列情報生成部３０２は、生成された手書きデータを作業メモリ４０１に一時保存する。
【００７８】
編集処理部３０３は、現在表示中の手書きページを編集するための処理を実行する。すなわち、編集処理部３０３は、タッチスクリーンディスプレイ１７上でユーザによって行われる編集操作及び手書き入力操作に応じて、現在表示中の手書きページに新たなストローク（新たな手書き文字及び新たな手書きマーク等）を追加する処理、表示されている複数のストローク内の１以上のストロークを削除または移動する処理等を含む編集処理を実行する。更に、編集処理部３０３は、編集処理の結果を表示中の時系列情報に反映するために作業メモリ４０１内の時系列情報を更新する。
【００７９】
ページ保存処理部３０４は、作成中の手書きページ上の複数の手書きストロークに対応する複数のストロークデータを含む手書きページデータを記憶媒体４０２に保存する。記憶媒体４０２は、例えばタブレットコンピュータ１０内のストレージデバイスであってもよいし、サーバコンピュータ２のストレージデバイスであってもよい。
【００８０】
ページ取得処理部３０５は、記憶媒体４０２から任意の手書きページデータを取得する。この取得された手書きページデータは、表示処理部３０１に送られる。表示処理部３０１は、手書きページデータに含まれる複数のストロークデータに対応する複数のストロークを画面上に表示する。
【００８１】
特徴量登録処理部３０６は、ページ保存処理部３０４によって手書き文書（データ）が記憶媒体４０２に保存される際に、当該手書き文書を構成するストローク集合に対して文字認識処理を実行することによって、当該手書き文書を構成する全てのストロークを文字列（単語）に変換する。特徴量登録処理部３０６は、変換された文字列をキーワードとし、当該キーワード、手書き文書において当該キーワードに変換された（つまり、文字認識処理によって当該キーワードとして文字認識された）ストローク集合における各ストロークを時系列順に１ストロークずつ積算してなる各ストローク集合に対する文字認識結果及び当該ストローク集合におけるストローク数を対応づけてサジェスト特徴テーブルに登録する。
【００８２】
また、特徴量登録処理部３０６は、変換された文字列（キーワード）及び当該文字列に変換されたストローク集合に対応するストロークデータを対応づけてサジェストキーワードテーブルに登録する。
【００８３】
更に、特徴量登録処理部３０６は、変換された文字列（キーワード）及び当該文字列の読み仮名を対応づけて読み仮名テーブルに登録する。
【００８４】
なお、サジェスト特徴テーブル、サジェストキーワードテーブル及び読み仮名テーブルは、例えば記憶媒体４０２に保存されているものとする。
【００８５】
次に、図１１に示す表示処理部３０１の詳細について説明する。
【００８６】
前述したように、タッチスクリーンディスプレイ１７は、画面に対するタッチ操作をタッチパネル１７Ｂまたはデジタイザ１７Ｃで検出する。手書きデータ入力部３０１Ａは、タッチパネル１７Ｂまたはデジタイザ１７Ｃから出力される検出信号を入力するモジュールである。検出信号には、タッチ位置の座標情報（Ｘ，Ｙ）が含まれている。このような検出信号を時系列順に入力することによって、手書きデータ入力部３０１Ａは、手書きで記載されるストロークに対応するストロークデータを入力する。手書きデータ入力部３０１Ａによって入力されたストロークデータ（検出信号）は、筆跡描画部３０１Ｂに供給される。
【００８７】
筆跡描画部３０１Ｂは、手書き入力の軌跡（筆跡）を描画してタッチスクリーンディスプレイ１７のＬＣＤ１７Ａに表示するモジュールである。筆跡描画部３０１Ｂは、手書きデータ入力部３０１Ａからのストロークデータ（検出信号）に基づき、手書き入力の軌跡（筆跡）に対応する線分を描画する。
【００８８】
手書きデータ入力部３０１Ａによって入力されたストロークデータが上述したページ編集画面（上の手書き入力領域５００）において手書きで記載されたストロークに対応するものである場合、当該ストロークデータは、候補表示処理部３０１Ｃにも供給される。このようにストロークデータが手書きデータ入力部３０１Ａによって入力される場合、候補表示処理部３０１Ｃは、手書きで記載された１以上のストローク（つまり、手書きデータ入力部３０１Ａから供給されたストロークデータが入力された時点で入力されているストロークデータ）に基づいて特定される複数のストローク集合を、ユーザによる手書き入力の候補として、ページ編集画面上の候補表示領域に表示する。この手書き入力の候補として表示される複数のストローク集合は、例えば手書き文字列を表し、手書きで記載された１以上のストロークの形状に対応するストローク集合（第１ストローク集合）及び当該手書きで記載された１以上のストロークの形状を用いて定まる読み仮名に対応するストローク集合（第２ストローク集合）を含む。なお、手書き入力の候補として表示されるストローク集合は、後述するように上記した記憶媒体４０２に保存されているサジェスト特徴テーブル、サジェストキーワードテーブル及び読み仮名テーブルを参照して特定される。
【００８９】
以下の説明では、ページ編集画面上の候補表示領域に手書き入力の候補として表示されるストローク集合を、単に手書き入力候補と称する。また、この手書き入力候補のうち、１以上のストロークの形状に対応するストローク集合を筆跡による手書き入力候補、当該１以上のストロークの形状を用いて定まる読み仮名に対応するストローク集合を読み仮名による手書き入力候補と称する。なお、この手書き入力候補が表示される候補表示領域の具体例については後述する。
【００９０】
このようにページ編集画面の候補表示領域に手書き入力候補（筆跡による手書き入力候補及び読み仮名による手書き入力候補）が表示された場合、ユーザは、当該手書き入力候補を手書き入力領域５００に表示（記載）する文字列等として選択（指定）することができる。候補表示領域に表示された手書き入力候補がユーザによって選択される場合、筆跡描画部３０１Ｂは、当該手書き入力候補をページ編集画面上の手書き入力領域５００に表示する。このとき、筆跡描画部３０１Ｂは、上記したように候補表示領域に表示された手書き入力候補（ストローク集合）の座標に基づいて、当該手書き入力候補を手書き入力領域５００に表示する。なお、このストローク集合の座標は、既に入力されているストロークデータに含まれる時系列座標（つまり、手書き入力領域５００に既に手書きで記載されているストローク）を基準として相対的に定められる。
【００９１】
なお、図１１においては図示されていないが、手書きノートアプリケーションプログラム２０２は、上記した以外に、上述した筆跡検索及びテキスト検索等を実行するための検索処理部等を備える。
【００９２】
図１２は、上記した記憶媒体４０２に保存されているサジェスト特徴テーブルのデータ構造の一例を示す。図１２に示すように、サジェスト特徴テーブルには、キーワード、文字認識結果及びストローク数が対応づけて保持（登録）されている。キーワードは、上述した手書き入力候補に相当する文字列（テキスト）である。文字認識結果は、当該文字認識結果に対応づけられているキーワードとして文字認識されるストローク集合の一部のストローク集合に対する文字認識結果を示す。ストローク数は、当該ストローク数に対応づけられている文字認識結果が得られたストローク集合におけるストロークの数（つまり、画数）を示す。
【００９３】
図１２に示す例では、サジェスト特徴テーブルには、例えばキーワード「エアコン」、文字認識結果「−」及びストローク数「１」が対応づけて保持されている。これによれば、キーワード「エアコン」として文字認識されるストローク集合がユーザによって手書きされる際に、１ストロークが手書きされた時点で文字認識処理を行った場合の文字認識結果が「−」であることが示されている。
【００９４】
また、サジェスト特徴テーブルには、例えばキーワード「エアコン」、文字認識結果「Ｔ」及びストローク数「２」が対応づけて保持されている。これによれば、キーワード「エアコン」として文字認識されるストローク集合がユーザによって手書きされる際に、２ストロークが手書きされた時点で文字認識処理を行った場合の文字認識結果が「Ｔ」であることが示されている。
【００９５】
このように、サジェスト特徴テーブルには、例えばキーワード「エアコン」を構成するストローク数（つまり、画数）が１加算される毎の文字認識結果が保持される。すなわち、サジェスト特徴テーブルには、上記したようにキーワードとして文字認識されたストローク集合における各ストロークを時系列順に１ストロークずつ積算してなる各ストローク集合に対する文字認識結果及び当該ストローク集合におけるストローク数が当該キーワードに対応づけて保持されている。
【００９６】
詳細については後述するが、上述したように手書き入力候補を表示する際には、文字認識結果及びストローク数（つまり、画数）をキーとした検索が行われる。
【００９７】
ここではキーワード「エアコン」について説明したが、サジェスト特徴テーブルには、他のキーワード（例えば、「工場」等）についても同様に文字認識結果及びストローク数が対応づけて保持されている。
【００９８】
図１３は、上記した記憶媒体４０２に保存されているサジェストキーワードテーブルのデータ構造の一例を示す。図１３に示すように、サジェストキーワードテーブルには、主キーとなるキーワード及びストロークデータが対応づけて保持（登録）されている。キーワードは、上述した手書き入力候補に相当する文字列（テキスト）である。ストロークデータは、当該ストロークデータに対応づけられているキーワードとして文字認識されるストローク集合に対応するデータ（当該ストロークのバイナリデータ）である。
【００９９】
図１３に示す例では、サジェストキーワードテーブルには、例えばキーワード「エアコン」及びストロークデータ「（１０，１０）−（１３，８）−…」が対応づけて保持されている。これによれば、キーワード「エアコン」として文字認識されるストローク集合に対応するストロークデータが「（１０，１０）−（１３，８）−…」であることが示されている。なお、上記したようにストロークデータには、ストロークの軌跡上の複数のサンプリング点それぞれに対応する複数の座標が含まれている。
【０１００】
ここではキーワード「エアコン」について説明したが、サジェストキーワードテーブルには、他のキーワード（例えば、「工場」、「功績」及び「遠投」等）についても同様にストロークデータが対応づけて保持されている。
【０１０１】
図１４は、上記した記憶媒体４０２に保存されている読み仮名テーブルのデータ構造の一例を示す。図１４に示すように、読み仮名テーブルには、キーワード及び読み仮名が対応づけて保持（登録）されている。キーワードは、上述した手書き入力候補に相当する文字列（テキスト）である。読み仮名は、当該読み仮名に対応づけられているキーワードの読み仮名を示す。
【０１０２】
図１４に示す例では、読み仮名テーブルには、例えばキーワード「エアコン」及び読み仮名「エアコン」が対応づけて保持されている。これによれば、キーワード「エアコン」の読み仮名が「エアコン」であることが示されている。
【０１０３】
同様に、読み仮名テーブルには、例えばキーワード「工場」及び読み仮名「コウジョウ」が対応づけて保持されている。これによれば、キーワード「工場」の読み仮名が「コウジョウ」であることが示されている。
【０１０４】
ここではキーワード「エアコン」及び「工場」について説明したが、読み仮名テーブルには、他のキーワード（例えば、「功績」及び「遠投」等）についても同様に読み仮名が対応づけて保持されている。
【０１０５】
また、図１４に示す例では読み仮名がカタカナ表記であるものとして説明したが、当該読み仮名は平仮名表記であっても構わない。
【０１０６】
以下、本実施形態に係るタブレットコンピュータ１０の動作について説明する。ここでは、本実施形態に係るタブレットコンピュータ１０によって実行される処理のうち、特徴量登録処理及び候補表示処理について説明する。
【０１０７】
まず、図１５のフローチャートを参照して、特徴量登録処理の処理手順について説明する。なお、特徴量登録処理は、上記した手書き文書（データ）が記憶媒体４０２に保存される際に特徴量登録処理部３０６によって実行される。
【０１０８】
特徴量登録処理において、特徴量登録処理部３０６は、ページ保存処理部３０４によって手書き文書が記憶媒体４０２に保存される際に、当該手書き文書を例えば作業メモリ４０１から取得する（ブロックＢ１）。なお、手書き文書は、上述したページ編集画面上の手書き入力領域５００においてユーザによって手書きで記載されたストローク集合から構成され、当該ストローク集合に対応するストロークデータを含む。
【０１０９】
次に、特徴量登録処理部３０６は、取得された手書き文書（に含まれるストロークデータに対応するストローク集合）に対して文字認識処理を実行する（ブロックＢ２）。これにより、手書き文書を構成するストローク集合が文字列に変換される。このとき、手書き文書を構成する各ストローク（に対応するストロークデータ）は、文字認識処理が実行されることによって変換された文字列中の当該ストロークが属する文字（当該ストロークが構成する文字）と対応づけられているものとする。
【０１１０】
特徴量登録処理部３０６は、変換された文字列に対して形態素分析（形態素解析）処理を実行する（ブロックＢ３）。これにより、変換された文字列は、単語単位に分割される。このとき、特徴量登録処理部３０６は、上記した文字列中の各文字に対応づけられたストロークに基づいて、形態素分析処理によって分割された各単語に属するストローク集合を特定する。
【０１１１】
次に、特徴量登録処理部３０６は、形態素分析処理によって分割された各単語に属するストローク集合に対して積算文字認識処理を実行する（ブロックＢ４）。この積算文字認識処理は、各ストローク毎に特徴量となる文字認識結果（文字列）を取得する処理である。
【０１１２】
ここで、図１６を参照して、積算文字認識処理について具体的に説明する。ここでは、便宜的に、単語「エアコン」に属するストローク集合に対して積算文字認識処理が実行される場合について説明する。
【０１１３】
この場合、ストローク数（画数）が１であるストローク（集合）１００１に対して文字認識処理を実行した場合の文字認識結果は、「−」となる。
【０１１４】
次に、ストローク数（画数）が２であるストローク集合１００２に対して文字認識処理を実行した場合の文字認識結果は「Ｔ」となる。
【０１１５】
同様に、ストローク数（画数）が３であるストローク集合１００３に対して文字認識処理を実行した場合の文字認識結果は「エ」となる。
【０１１６】
更に、ストロークク数（画数）が４であるストローク集合１００４に対して文字認識処理を実行した場合の文字認識結果は「エフ」となる。
【０１１７】
また、ストローク数（画数）が５であるストローク集合１００５に対して文字認識処理を実行した場合の文字認識結果は「エア」となる。
【０１１８】
このようにストローク数を１ずつ増加させていくと、最後には、ストローク数（画数）が９であるストローク集合に対する文字認識結果として「エアコン」が得られる。
【０１１９】
上記したように単語「エアコン」に属するストローク集合に対して積算文字認識処理が実行された場合、図１６に示す積算文字認識結果１１００を得ることができる。この積算文字認識結果１１００には、単語、ストローク集合に対する文字認識結果及び当該ストローク集合におけるストローク数が含まれる。
【０１２０】
なお、上記したブロックＢ４においては１つの単語に属するストローク集合に対して積算文字認識処理が実行されるものとして説明したが、当該積算文字認識処理は、１つのまとまりとして扱うことが可能な複数の単語を含む文字列に対して実行されても構わない。
【０１２１】
再び図１５に戻ると、特徴量登録処理部３０６は、取得された積算文字認識結果１１００に基づいて、上記したサジェスト特徴テーブル、サジェストキーワードテーブル及び読み仮名テーブルに対して各種情報を登録する（ブロックＢ５）。
【０１２２】
具体的には、特徴量登録処理部３０６は、積算文字認識結果１１００に含まれる単語（キーワード）、文字認識結果及びストローク数を対応づけてサジェスト特徴テーブルに登録する。
【０１２３】
また、特徴量登録処理部３０６は、積算文字認識結果に含まれる単語（キーワード）及び当該単語に属するストローク集合に対応するストロークデータをサジェストキーワードテーブルに登録する。
【０１２４】
更に、特徴量登録処理部３０６は、積算文字認識結果に含まれる単語（キーワード）及び当該単語の読み仮名を対応づけて読み仮名テーブルに登録する。読み仮名テーブルに登録される読み仮名は、タブレットコンピュータ１０の内部に保持されている各種辞書等から取得されてもよいし、ユーザによって指定（登録）されても構わない。
【０１２５】
なお、上記したブロックＢ５において、サジェスト特徴テーブル、サジェストキーワードテーブル及び読み仮名テーブルに既に同一の情報（例えば、キーワード）が保持されている場合には、当該情報の登録処理は省略される。
【０１２６】
上記したように特徴量登録処理によれば、手書き文書が記憶媒体４０２に保存される際に、後述する候補表示処理において用いられる必要な情報を自動的にサジェスト特徴テーブル、サジェストキーワードテーブル及び読み仮名テーブルに登録することができる。
【０１２７】
次に、図１７のフローチャートを参照して、候補表示処理の処理手順について説明する。なお、候補表示処理は、上記したページ編集画面上の手書き入力領域５００において手書きで記載されるストロークに対応するストロークデータが入力される際に候補表示処理部３０１Ｃによって実行される。また、候補表示処理は、手書き入力領域５００に対して１のストロークが手書きで記載される度に実行される。
【０１２８】
候補表示処理において、候補表示処理部３０１Ｃは、ページ編集画面上の手書き入力領域５００においてユーザによって手書きで記載される１ストロークに対応するストロークデータを入力する（ブロックＢ１１）。以下、ブロックＢ１１において入力されたストロークデータを対象ストロークデータと称する。
【０１２９】
次に、候補表示処理部３０１Ｃは、対象ストロークデータが入力された時点で入力されているストロークデータに対応するストローク集合（つまり、手書き入力領域５００に手書きで記載されている１以上のストローク）に対して文字認識処理を実行する（ブロックＢ１２）。具体的には、対象ストロークデータが例えば手書き文字列のｎ画目（ｎは１以上の整数）のストロークに対応するストロークデータであるものとすると、候補表示処理部３０１Ｃは、１画目〜ｎ画目のストローク集合に対して文字認識処理を実行する。これにより、候補表示処理部３０１Ｃは、文字認識結果を取得する。本実施形態において、この文字認識結果は、１画目〜ｎ画目のストローク集合（の形状）の特徴を表す特徴量として用いられる。
【０１３０】
なお、１画目のストロークは、例えば手書き入力領域５００に手書きで記載されている他のストロークの位置等に基づいて特定されるものとする。
【０１３１】
候補表示処理部３０１Ｃは、取得された文字認識結果及び当該文字認識結果が取得されたストローク集合におけるストローク数に基づいて、サジェスト特徴テーブルからキーワードを検索する（ブロックＢ１３）。この場合、候補表示処理部３０１Ｃは、取得された文字認識結果及び当該文字認識結果が取得されたストローク集合におけるストローク数（つまり、画数）に対応づけてサジェスト特徴テーブルに保持されているキーワードを検索する。ここで候補表示処理部３０１Ｃによって検索されるキーワードは、上述した筆跡による手書き入力候補に相当するキーワードである。
【０１３２】
また、候補表示処理部３０１Ｃは、取得された文字認識結果に基づいて、読み仮名テーブルからキーワードを検索する（ブロックＢ１４）。この場合、候補表示処理部３０１Ｃは、例えば取得された文字認識結果を含む読み仮名（例えば、当該文字認識結果と前方一致する読み仮名）に対応づけて当該読み仮名テーブルに保持されているキーワードを検索する。ここで候補表示処理部３０１Ｃによって検索されるキーワードは、上述した読み仮名による手書き入力候補に相当するキーワードである。
【０１３３】
なお、上述した図１４に示す読み仮名テーブルにおいてはカタカナの読み仮名が保持されているものとして説明したが、例えばユーザによって平仮名（の読み仮名）が手書きで記載された場合（つまり、１画目〜ｎ画目のストローク集合に対する文字認識結果が平仮名である場合）には、当該平仮名をカタカナに変換した上で検索処理が実行されるものとする。
【０１３４】
候補表示処理部３０１Ｃは、ブロックＢ１３及びＢ１４において検索された各キーワードに対して優先度を付与する（ブロックＢ１５）。なお、各キーワードの優先度は、文字認識結果が取得されたストローク集合におけるストローク数に応じて付与される。このブロックＢ１５の処理の詳細については後述する。
【０１３５】
次に、候補表示処理部３０１Ｃは、ブロックＢ１３及びＢ１４において検索されたキーワードを構成するストローク集合に対応するストロークデータを取得する（ブロックＢ１６）。具体的には、候補表示処理部３０１Ｃは、検索されたキーワードに対応づけてサジェストキーワードテーブルに保持されているストロークデータを取得する。
【０１３６】
候補表示処理部３０１Ｃは、取得されたストロークデータ（に対応するストローク集合）をページ編集画面上の候補表示領域に描画することによって、手書き入力候補を表示する（ブロックＢ１７）。この手書き入力候補は、ブロックＢ１５において各キーワードに対して付与された優先度に基づいて表示される。
【０１３７】
なお、候補表示処理部３０１Ｃによって表示される手書き入力候補のうち、ブロックＢ１３において検索されたキーワードを構成するストローク集合（当該キーワードに対応づけてサジェストキーワードテーブルに保持されているストロークデータ）は筆跡による手書き入力候補として表示され、ブロックＢ１４において検索されたキーワードを構成するストローク集合（当該キーワードに対応づけてサジェストキーワードテーブルに保持されているストロークデータ）は読み仮名による手書き入力候補として表示される。
【０１３８】
すなわち、本実施形態における候補表示処理によれば、ユーザによって手書きで記載された１以上のストロークの形状に基づく手書き入力候補（筆跡による手書き入力候補）と、当該形状を用いて定まる読み仮名に基づく手書き入力候補（読み仮名による手書き入力候補）とを表示することが可能となる。
【０１３９】
ここで、上述した図１７に示すブロックＢ１５の処理について説明する。上述したように候補表示処理は手書き入力領域５００に対して１のストロークが手書きで記載される度に実行されるが、以下の説明では、例えばブロックＢ１１においてｎ画目のストロークに対応するストロークデータが入力された場合に上述したブロックＢ１３及びＢ１４において検索されるキーワードを便宜的にｎ画目のキーワードと称する。
【０１４０】
一般的に、文字数（画数）が多くなるほどユーザが意図する候補となる可能性が高い。そこで、本実施形態においては、例えばストローク数（つまり、画数）を各キーワードの優先度として用いる。この場合、例えばｎ画目のキーワードに優先度（値）としてｎを付与し、当該ｎ画目のキーワードの優先度は、ｎ−１画目までに当該キーワードに付与された優先度にｎを加算した値とする。これによれば、例えばｎ−１画目のキーワードよりもｎ画目のキーワードの優先度を高くすることができる。ここでは、各キーワードの優先度としてストローク数を用いるものとして説明するが、当該ストローク数以外の定数等が用いられても構わない。
【０１４１】
以下、図１８及び図１９を参照して、各キーワードの優先度について具体的に説明する。ここでは、図１８に示すように、１画目〜３画目までのストロークで「エ」の文字が手書きで記載される場合を想定する。
【０１４２】
図１８は、２画目までのストロークが手書きで記載された場合の各キーワードの優先度を示す。図１８に示す例では、２画目までのキーワード（つまり、１画目のキーワード及び２画目のキーワード）が「エアコン」、「工場」、「功績」及び「干拓」であるものとする。また、２画目までにキーワード「エアコン」に対して付与された優先度が３であるものとする。同様に、２画目までにキーワード「工場」及び「功績」に対して付与された優先度は２であり、キーワード「干拓」に対して付与されている優先度は１であるものとする。
【０１４３】
なお、キーワード「エアコン」に付与されている優先度は３であるため、当該キーワード「エアコン」は、１画目のキーワードであり、かつ、２画目のキーワードである。また、キーワード「工場」及び「功績」に対して付与されている優先度は２であるため、当該キーワード「工場」及び「功績」は、２画目のキーワードである。更に、キーワード「干拓」に対して付与されている優先度は１であるため、当該キーワード「干拓」は、１画目のキーワードである。
【０１４４】
ここで、３画目のキーワードが「エアコン」、「工場」、「功績」及び「遠投」であるものとする。なお、キーワード「エアコン」、「工場」及び「功績」は、上記した筆跡による手書き入力候補に相当するキーワードである。また、キーワード「遠投」は、上記した読み仮名による手書き入力候補に相当するキーワードである。
【０１４５】
この場合、３画目のキーワードである「エアコン」、「工場」、「功績」及び「遠投」には優先度として３が付与される。このようにキーワード「エアコン」、「工場」、「功績」及び「遠投」に対して付与された優先度は、上記した２画目までに当該キーワードに付与された優先度に加算される。
【０１４６】
図１９は、３画目のストロークが手書きで記載された場合にける各キーワードの優先度を示す。
【０１４７】
まず、キーワード「エアコン」については、２画目までに当該キーワード「エアコン」に付与されている優先度は３であるため、３画目のストロークが手書きで記載された時点で優先度は６となる。なお、キーワード「工場」及び「功績」についても同様に、図１８に示す優先度（つまり、２画目までの優先度）に３が加算され、３画目のストロークが手書きで記載された時点で優先度はそれぞれ５となる。また、キーワード「干拓」については、３画目のキーワードではないため、図１８に示す優先度が維持される。
【０１４８】
なお、キーワード「遠投」については、２画目までに当該キーワード「遠投」に優先度は付与されていないため、３画目のストロークが手書きで記載された時点で優先度は３となる。
【０１４９】
上記したようにキーワード「遠投」は読み仮名による手書き入力候補に相当するキーワードであるが、当該読み仮名による手書き入力候補に相当するキーワードは、筆跡による手書き入力候補（に相当するキーワード）と異なり、手書きで記載された１以上のストロークが例えばカタカナの文字として認識されなければ検索されない。具体的には、例えば図１８及び図１９に示すように、キーワード「エアコン」等は例えば１画目のストロークが手書きで記載された時点から検索されるが、キーワード「遠投」は３画目のストロークが手書きで記載された時点で初めて検索される。
【０１５０】
すなわち、例えばユーザが読みによる手書き入力候補を表示することを望んでいたとしても、当該読み仮名による手書き入力候補に相当するキーワードの優先度は他の筆跡による手書き入力候補に相当するキーワードと比べて低くなり、結果的にユーザが望む候補を優先的に表示することができない可能性がある。
【０１５１】
そこで、本実施形態においては、筆跡による手書き入力候補（に相当するキーワード）及び読み仮名による手書き入力候補（に相当するキーワード）に対して所定の係数を与え、当該筆跡による手書き入力候補と当該読み仮名による手書き入力候補との優先度が異なるようにすることも可能である。図１９に示す場合において、読み仮名による手書き入力候補となるキーワードの優先度に対して例えば係数２を乗算する構成とすれば、キーワード「遠投」の優先度は６となる。なお、この場合において、筆跡による手書き入力候補に対する係数は例えば１とする。このように読み仮名による手書き入力候補に対する係数を筆跡による手書き入力候補に対する係数より大きくすることで、キーワード「遠投」を構成するストローク集合（読み仮名による手書き入力候補）を、例えば他の筆跡による手書き入力候補に相当するキーワード「工場」及び「功績」等と比較して優先的に表示することが可能となる。
【０１５２】
ここでは、筆跡による手書き入力候補及び読み仮名による手書き入力候補に対して係数を与えるものとして説明したが、例えば筆跡による手書き入力候補及び読み仮名よる手書き入力候補に対して異なる方法で優先度を付与するようにしてもよい。
【０１５３】
また、上述した図１８及び図１９に示す例において、キーワード「エアコン」は３画目のキーワードであるが、当該キーワード「エアコン」は、筆跡による手書き入力候補に相当するキーワードとしても検索されるが、読み仮名による手書き入力候補に相当するキーワードとしても検索される。このような場合において、上記したように筆跡による手書き入力候補及び読み仮名による手書き入力候補に対して異なる係数を与えるような場合、キーワード「エアコン」は例えば筆跡による手書き入力候補（に相当するキーワード）として扱われるものとする。ここでは、筆跡による手書き入力候補及び読み仮名による手書き入力候補の両方に該当する場合には筆跡による手書き入力候補として扱われるものとして説明したが、このような場合には読み仮名による手書き入力候補として扱われるようにしてもよい。
【０１５４】
なお、手書き入力候補（に相当するキーワードを構成するストローク集合）は、上記したように当該キーワードに対して付与された優先度に基づいて候補表示領域に表示される。
【０１５５】
次に、図２０を参照して、手書き入力候補が表示される候補表示領域について具体的に説明する。ここでは、前述した図９と同一の部分には同一参照符号を付してその詳しい説明を省略する。
【０１５６】
なお、上述したように優先度は各キーワードに対して付与されるが、以下では、便宜的に、当該キーワードを構成するストローク集合である手書き入力候補に対して優先度が付与されているものとして説明する。
【０１５７】
図２０に示すように、ここではユーザがページ編集画面上の手書き入力領域５００において「近所の電気店でパッケージ」という文字列の後に「エ」の文字を手書きで記載した場合を想定する。この場合、ページ編集画面上には、候補表示領域５００ａが表示される。また、この候補表示領域５００ａには、「エ」の文字における３画目のストロークが手書きで記載された時点での優先度に基づいて手書き入力候補が表示される。
【０１５８】
図２０に示す例では、候補表示領域５００ａには、上記した図１９に示す優先度（値）の高い手書き入力候補（つまり、高い優先度が付与されたキーワードを構成するストローク集合）が上から順に表示されている。
【０１５９】
ここで、ユーザは、図２０に示すページ編集画面上の候補表示領域５００ａにおいて表示された手書き入力候補のうちの１つを選択（指定）することができる。このように手書き入力候補のうちの１つが選択された場合には、当該手書き入力候補が手書き入力領域５００に表示される。なお、図２１は、候補表示領域５００ａに表示された手書き入力候補のうち「エアコン」が選択された場合の表示画面（手書き入力領域５００）の一例を示している。手書き入力候補は、図２１に示すように、例えば周囲の文字等のサイズに調整された状態で手書き入力領域５００に表示される。
【０１６０】
なお、図２０及び図２１では優先度の高い４つの手書き入力候補が表示されているが、図１９に示す「干拓」のような他の手書き入力候補も併せて表示されても構わない。また、優先度が予め定められた値以上の手書き入力候補についてのみ表示されるような構成としても構わない。
【０１６１】
また、図２０及び図２１では全ての手書き入力候補が同一の態様で表示されているが、上述した筆跡による手書き入力候補と読み仮名による手書き入力候補とを区別可能な態様で表示することも可能である。具体的には、筆跡による手書き入力候補と読み仮名による手書き入力候補とを異なる色彩、大きさまたは太さ等で表示することによって、ユーザは筆跡による手書き入力候補と読みによる手書き入力候補とを容易に把握することができる。なお、上記した「エアコン」のように筆跡による手書き入力候補及び読み仮名による手書き入力候補の両方に該当する場合には、例えば筆跡による手書き入力候補として表示されるものとする。
【０１６２】
上記したように本実施形態においては、手書きで記載される１以上のストロークの形状に対応するストローク集合（第１ストローク集合）と、当該１以上のストロークの形状を用いて定まる読み仮名に対応するストローク集合（第２ストローク集合）とを手書き入力の候補として表示する構成により、ユーザは手書き文書の作成の際に文字列の全てを手書きで記載する必要がなく、ユーザの手間を削減することができるため、ユーザによる手書き文書の作成を容易にすることが可能となる。また、本実施形態においては、例えば漢字が思い出せないような場合であっても読み仮名を手書きで記載することで適切な文字列を入力することが可能となる。
【０１６３】
また、本実施形態においては、手書きで記載される１以上のストロークの数に応じて付与される優先度に応じて手書き入力候補（ストローク集合）を表示することにより、よりユーザが意図する手書き入力候補を優先的に表示することが可能となる。
【０１６４】
また、本実施形態においては、筆跡による手書き入力候補及び読み仮名による手書き入力候補に対して予め定められた係数をストロークの数（画数）に乗じた優先度とすることで、例えば筆跡による手書き入力候補と読みによる手書き入力候補とで生じる優先度の差を調整することが可能となる。
【０１６５】
また、本実施形態においては、読み仮名による手書き入力候補に対する係数を筆跡による手書き入力候補に対する係数より大きくすることによって、上述したように読み仮名による手書き入力候補の優先度が筆跡による手書き入力候補の優先度より低くなることを回避し、ユーザが意図する手書き入力候補を優先的に表示することができる。
【０１６６】
また、本実施形態においては、筆跡による手書き入力候補と読み仮名による手書き入力候補を区別可能に表示する構成により、ユーザは表示された手書き入力候補が筆跡による手書き入力候補であるか読み仮名による手書き入力候補であるかを容易に判別することが可能となる。
【０１６７】
なお、本実施形態の処理はコンピュータプログラムによって実現することができるため、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【０１６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１６９】
１７…タッチスクリーンディスプレイ、１７Ａ…ＬＣＤ、１７Ｂ…タッチパネル、１７Ｃ…デジタイザ、１００…ペン、１０１…ＣＰＵ、１０２…システムコントローラ、１０３…主メモリ、１０４…グラフィクスコントローラ、１０５…ＢＩＯＳ−ＲＯＭ、１０６…不揮発性メモリ、１０７…無線通信デバイス、１０８…ＥＣ、２０１…ＯＳ、２０２…手書きノートアプリケーション、３０１…表示処理部、３０１Ａ…手書きデータ入力部、３０１Ｂ…筆跡描画部、３０１Ｃ…候補表示処理部、３０２…時系列情報生成部、３０３…編集処理部、３０４…ページ保存処理部、３０５…ページ取得処理部、３０６…特徴量登録処理部、４０１…作業メモリ、４０２…記憶媒体。
【図１】
2015135546.tif 000003
【図２】
2015135546.tif 000004
【図３】
2015135546.tif 000005
【図４】
2015135546.tif 000006
【図５】
2015135546.tif 000007
【図６】
2015135546.tif 000008
【図７】
2015135546.tif 000009
【図８】
2015135546.tif 000010
【図９】
2015135546.tif 000011
【図１０】
2015135546.tif 000012
【図１１】
2015135546.tif 000013
【図１２】
2015135546.tif 000014
【図１３】
2015135546.tif 000015
【図１４】
2015135546.tif 000016
【図１５】
2015135546.tif 000017
【図１６】
2015135546.tif 000018
【図１７】
2015135546.tif 000019
【図１８】
2015135546.tif 000020
【図１９】
2015135546.tif 000021
【図２０】
2015135546.tif 000022
【図２１】
2015135546.tif 000023